(57)【要約】【課題】低駆動電圧で、かつ、低消費電力の電気泳動表示装置およびその駆動方法を提供すること。【解決手段】微粒子を分散させた泳動用分散液に接する電極と、その電極の、泳動用分散液に接する側と反対側に設置した絶縁層を挟んだ位置に保持電極を有する構造を持つ電気泳動表示装置とする。【選択図】図２Ｂ
2009020279.tif 000002
【特許請求の範囲】
【請求項１】
間隙を開けて対向して配置された第１基板及び第２基板と、
前記第１基板の一主面上に配置された第１電極と、
前記第２基板の一主面上に前記第１電極に対向するように配置された第２電極と、
前記間隙に配置され前記間隙を複数の区画に仕切る隔壁と、
前記第１電極と前記第２基板と前記隔壁とによって囲まれた空間内に充填されたイオンを含む泳動用分散液と、
前記泳動用分散液中に混入された移動可能な帯電微粒子と、
前記第２電極の前記第１電極とは反対側に離隔して配置され、前記第２電極および前記泳動用分散液とは電気的に絶縁された保持電極とを備え、
前記第１電極と前記第２電極間に所定の電圧を印加し、一定時間後に前記第１電極と前記第２電極間を開放にし、前記開放時に前記第１電極と前記保持電極間に、前記所定の電圧より大きな電圧を印加することを特徴とする電気泳動表示装置の駆動方法。
【請求項２】
前記第１電極が、接地電位に接続されていることを特徴とする請求項１に記載の電気泳動表示装置の駆動方法。
【請求項３】
前記第２電極は、所定の場所に開口部を有する絶縁膜で覆われ、
前記開口部の総面積が、前記隔壁で囲まれた前記第２電極の表面積より小さいことを特徴とする請求項１の電気泳動表示装置の駆動方法。
【請求項４】
前記第２電極は、所定の形状にパターニングされ、
前記パターニングされた第２電極が前記泳動用分散液と接する表面積の総計が、前記隔壁で囲まれた前記第２基板の表面積より小さいことを特徴とする請求項１の電気泳動表示装置の駆動方法。
【請求項５】
前記保持電極は、少なくとも前記隔壁で囲まれた区画内で前記第２電極の形状を有すると共に、少なくとも前記隔壁で囲まれた区画内で、前記第１電極側から見て前記第２電極と重なって見える位置に配置されていることを特徴とする請求項４の電気泳動表示装置の駆動方法。
【請求項６】
間隙を開けて対向して配置された第１基板及び第２基板と、
前記第１基板の一主面上に配置された第１電極と、
前記第２基板の一主面上に前記第１電極に対向するように配置された第２電極と、
前記間隙に配置され、前記間隙を複数の区画に仕切る隔壁と、
前記第１電極と、前記第２基板と、前記隔壁とによって囲まれた空間内に充填されたイオンを含む泳動用分散液と、
前記泳動用分散液中に混入された移動可能な帯電微粒子と、を有し、
前記第２電極の前記第１電極とは反対側に離隔して配置され、前記第２電極および前記泳動用分散液とが電気的に絶縁された保持電極を備えたことを特徴とする電気泳動表示装置。
【請求項７】
前記第２電極は、前記第２電極が前記泳動用分散液と接する表面積が、前記隔壁で囲まれた前記第２基板の表面積より小さくなるように構成されていることを特徴とする請求項６に記載の電気泳動表示装置。
【請求項８】
前記第２電極を覆うように設けられ、所定の場所に開口部を有する絶縁膜を備え、
前記開口部の面積の総計が、前記隔壁で囲まれた前記第２電極の表面積より小さいことを特徴とする請求項６に記載の電気泳動表示装置。
【請求項９】
前記第１電極と前記第１基板と前記泳動用分散液とが透明であり、
前記絶縁膜が前記帯電微粒子と異なる色に着色されていることを特徴とする請求項８に記載の電気泳動表示装置。
【請求項１０】
前記絶縁膜と、前記第２電極と、前記保持電極と、前記第２基板とが透明であり、
前記第２基板の第１電極とは反対側の表面または前記第２基板内に、前記帯電微粒子と異なる色を持つ反射膜を有することを特徴とする請求項８に記載の電気泳動表示装置。
【請求項１１】
前記第２電極が、所定の形状にパターニングされ、
前記パターニングされた第２電極が前記泳動用分散液と接する表面積の総計が、前記隔壁で囲まれた前記第２基板の表面積より小さいことを特徴とする請求項６に記載の電気泳動表示装置。
【請求項１２】
前記第１電極と、前記第１基板と、前記泳動用分散液と、前記第２基板とが透明であり、
前記第２基板の前記泳動用分散液と接する側と反対側の表面または前記第２基板内に、前記微粒子と異なる色を持つ反射膜を有することを特徴とする請求項１１に記載の電気泳動表示装置。
【請求項１３】
前記保持電極は、少なくとも前記隔壁で囲まれた区画内で前記第２電極の形状を有すると共に、少なくとも前記隔壁で囲まれた区画内で、前記第１電極側から見て前記第２電極と重なって見える位置に配置されていることを特徴とする、請求項１２の電気泳動表示装置。
【請求項１４】
前記第１電極と、前記第１基板と、前記泳動用分散液と、前記第２基板とが透明であり、
前記第１基板の前記泳動用分散液と接する側と反対側の表面または前記第１基板内に、前記微粒子と異なる色を持つ反射膜を有することを特徴とする請求項１１に記載の電気泳動表示装置。
【請求項１５】
前記保持電極は、少なくとも前記隔壁で囲まれた区画内で前記第２電極の形状を有すると共に、少なくとも前記隔壁で囲まれた区画内で、前記第１電極側から見て前記第２電極と重なって見える位置に配置されていることを特徴とする、請求項１４の電気泳動表示装置。
【発明の詳細な説明】
【技術分野】
【０００１】
本発明は、表示装置およびその駆動方法に関し、特に、電気泳動表示装置およびその駆動方法に関する。
【背景技術】
【０００２】
現代は情報化社会と言われ、多くの情報関連機器がわれわれの生活に身近に存在するようになった。こうした情報機器と人間とを結びつけるインターフェイスとして、文字や画像などの表示デバイス（ディスプレイ）はその重要度を増している。情報は電子化され、紙に印刷する代わりに、ノートPCやPDA、携帯電話といった携帯端末のディスプレイ上で、屋内外問わずどこでも、必要なときに閲覧する場面は今後も増すと予想される。このような背景から、バッテリーで動作でき、消費電力が少ない、持ち運びに適した画像表示デバイスが要求されている。
【０００３】
反射型の表示デバイスは、バックライトを含む発光体が不要なため、消費電力を抑えることができる。なかでも、微粒子の電気泳動を利用した電気泳動表示デバイスは、視認性がよく、視野角の広い低消費電力表示デバイスとして期待を集めている。
電気泳動表示装置は、透明なセル内に封入された、溶液中に帯電した微粒子を分散させた泳動用分散液と、同じくセル内に設置された集散電極および対向電極からなる。セル内の電極間に電圧を印加することで、泳動用分散液中に分散した帯電微粒子が集散電極方向に移動する。それにより泳動用分散液中の帯電微粒子の密度分布が変化し、セルの反射率が変化することを利用して画素として使用する。この現象を利用した電気泳動表示装置としては、例えば、特許文献１に示されている。
【０００４】
【特許文献１】特開２００４−１６３７０３号公報
【発明の開示】
【発明が解決しようとする課題】
【０００５】
こうした電気泳動表示装置は、絶縁体に覆われた集散電極と対抗電極との間に電圧を印加することで、電極間に高電界を発生させ、その高電界により帯電微粒子を移動させる。このような電界を発生させるためには、通常数十ボルトから数百ボルトの高電圧が必要である。この電圧は、電極間距離を狭めることで低くすることが可能であるが、それはすなわち電極間に存在する帯電微粒子の量が少なくなることを意味し、十分なコントラストを得られなくなる。
【０００６】
同様な構成でも、電極が絶縁体他に覆われておらずに泳動用分散液に接しており、かつ液中にイオンが含まれている場合、電極間に電圧を印加すると、電極間に電界が生じるだけでなく、電極界面で電極反応がおきる。この場合、液中のイオン濃度の偏りにより、電荷の分布ができるために、拡散によるイオンおよび帯電微粒子の移動が起こる。電極反応は、数ボルト程度という、電気泳動で微粒子を移動させるのに必要な電圧に比べ十分低い電圧で生じる。したがって、この拡散によるイオンおよび帯電微粒子の移動は数ボルト程度の低電圧で起こすことができる。
【０００７】
しかし、このような構成では、表示を維持するためには電極反応を生じさせ続けなければならない。これはすなわち、常に電流が流れ続けることを意味し、低消費電力性を満たすことができなかった。
【０００８】
本発明の目的は、上記のような低電圧駆動が可能でありながら、表示を維持するために電力をほとんど必要としない電気泳動表示装置およびその駆動方法を提供することにある。
【課題を解決するための手段】
【０００９】
上記目的を達成するために、本発明の電気泳動表示装置は、微粒子を分散した泳動用分散液に直接接している、集散電極のほかに、泳動用分散液に直接接していない、表示を維持するための保持電極を設ける。集散電極に低電圧を印加することで電極反応を起こし、微粒子を移動させ、その後保持電極に電圧を印加することで電界を発生させ、微粒子の位置を保持する。このとき保持電極は泳動用分散液に接していないため、電極反応は生じない。すなわち、電流は流れず電力を消費することがない。具体的な構成としては、所定間隙を開けて配置された２枚の基板と、これらの基板の間隙内に配置されたイオンを含む泳動用分散液と、前記泳動用分散液中に移動可能に分散された複数の帯電微粒子からなる。
【００１０】
一方の基板表面には前記泳動用分散液及び前記帯電泳動粒子に接するように第１電極が配置され、他方の基板表面には前記泳動用分散液に接して前記第１電極に対向するように配置された第２電極と、前記第２電極の、前記第１電極に対向する側と反対の側に、前記第２電極と絶縁膜をはさんで配置され、前記泳動用分散液とは電気的に絶縁されている保持電極を備えたことを特徴とする。さらに、第１電極と第２電極間に電圧を印加して帯電微粒子を第２電極に集積させ、一定時間後両電極間の回路を開放すると同時に第１電極と保持電極の間に帯電微粒子の集積を保持するための電圧を印加する駆動回路を備えたことを特徴とするものである。
【発明の効果】
【００１１】
本発明によれば、微粒子の移動を泳動用分散液に接した電極間に電圧を印加することで、低電圧で起こし、かつ、表示の保持には絶縁体をはさんだ電極間に保持電圧を印加することで、低消費電力で表示を維持する。すなわち、低電圧駆動、低消費電力の電気泳動表示装置が可能となる。
【発明を実施するための最良の形態】
【００１２】
以下、本発明の実施例について図を用いて説明する。
（実施例１）
実施例１では、本発明の電気泳動装置の画素部分について説明する。
図１は本発明の表示装置の画素部分の構成を示す鳥瞰図である。内部構造を説明するために部分的に切り取られた図としている。画素１は、任意の間隔で配置された、第１電極基板２および第２電極基板３と、基板２と基板３の間に配置されこれらの基板の間隙を一定に保持するための隔壁４と、基板２、３と隔壁４に囲まれた空間に充填された、黒色の帯電微粒子５を分散させた透明な泳動用分散液６からなる。第１電極基板２表面には泳動用分散液６に接するように第１電極７が配置され、第２電極基板３表面には第１電極７に泳動用分散液６を介して対向するように第２電極８が配置されている。基板３内部には第２電極８から一定の距離の位置に保持電極９が配置されており、保持電極９と第２電極とは電気的に絶縁されている。第２電極８の表面は、可視光領域で反射率が高いため白色を呈する、反射膜をかねた絶縁膜１０で被覆され、絶縁膜１０には複数の開口１１があいている。複数の開口１１の占める総面積は、隔壁４で囲まれる画素１の面積の４分の１より小さい。第１電極基板２および第１電極７はいずれも透明な材料で構成されている。ここでは絶縁膜１０に反射率の高い材料を使用したが、図１Ｂに示すように、別に反射膜１２として第２電極基板の、泳動用分散液６と接する側と反対の表面に設けてもよい。その場合、第１電極基板２および第１電極７のほか、第２電極基板３、第１電極７、絶縁層９、第２電極８、保持電極９がいずれも透明な材料で構成される必要がある。
【００１３】
図１Ａでは黒表示、白表示の二つの画素を並べて表記してある。向かって左側の黒表示では、黒色の微粒子５が画素中の泳動用分散液６中に均一に分散することで画素全体として黒く認識される。向かって右側の白表示では、黒色の微粒子５が第２電極８上の開口１１に集積することで、泳動用分散液６の色が薄くなり、反射膜をかねた絶縁膜が透けて見え、画素全体としてはほぼ白色と認識される。
【００１４】
図２は図１Ａに示した画素の１画素部分の断面の模式図である。図２を用いて画素１の表示動作およびその保持の方法について説明する。図１Ａの画素部分に加え、図２には制御部分を記載してある。第１電極７および第２電極８はそれぞれグランドおよび電気泳動動作制御部１３に接続されている。保持電極９は表示保持制御部１４に接続されている。
【００１５】
図２Ａでは電気泳動動作制御部１３および表示保持制御部１４のスイッチがオンになっており、信号電圧としておのおの０ボルトの電圧が印加されている。そのため、すべての電極の電位が等しく、微粒子５は泳動用分散液６中にほぼ均一に分散しており、第１電極基板２側から見ると、画素１は黒色の微粒子の色が分散された泳動用分散液の色である黒を表示する。
【００１６】
図２Ｂは図２Ａの状態から、電気泳動動作制御部１３のスイッチはオンのままで、表示保持制御部１４のスイッチをオフにし、電気泳動動作制御部１３の電源電圧をＶ１ボルトに設定し、第１電極７と第２電極８の間に電圧を印加し、白表示させた場合である。微粒子５が正に帯電している場合、Ｖ１の値を負にすると、イオンの電極反応により電荷分布が生じ、拡散により絶縁膜１０にあけられた開口１１を通って、開口１１内の第２電極８表面に微粒子５が集積する。そのため第１電極側から見ると開口１１以外の部分の反射膜をかねた絶縁膜１０が透けて見える。絶縁膜１０の白色が透けて見える領域と、黒色の開口１１の領域があるので、画素全体としては灰色に見えるが、この開口１１の領域が小さければ白色に近づく。
【００１７】
図２Ｃは図２Ｂに示した白色の表示が完了後、電気泳動動作制御部１３のスイッチをオフにし、それと同時に表示保持制御部１４のスイッチをオンにし、表示保持制御部１４の電源電圧をＶ２ボルトにすることで第１電極７と保持電極９の間に電圧を印加し、白表示を保持させている状態を示している。このような手順以外に、表示保持の電圧印加の方法としては、白色表示完了後、表示保持制御部１４の電源電圧を電気泳動動作制御部１３の電源電圧と同じＶ１ボルトに設定したのち、表示保持制御部１４のスイッチをオンにし、その後電気泳動動作制御部１３のスイッチをオフにしてから、表示保持制御部１４の電源電圧をＶ２ボルトに設定してもよい。保持電極９に印加される電圧Ｖ２は、第２電極８に印加された電圧Ｖ１と同じ極性で、絶対値はＶ１より大きい。これにより第１電極７と保持電極９の間には電界が生じるので、微粒子５は保持電極９の方向に向かって力を受ける。
【００１８】
すなわち、開口１１の中にとどまっていることになる。このときの表示保持電圧Ｖ２の大きさは、第１電極７と保持電極９の距離や、その間に挟まれている泳動用分散液や絶縁体の誘電率に依存するが、微粒子をとどめておけるだけの電界が生じればよいので、電界から受ける力である程度の速度で微粒子を動かさなければならない電気泳動の場合に必要な電圧に比べ、より小さい電圧ですむ。このとき、第１電極７と保持電極９の間は絶縁されているので、電極反応は生じず、電圧を印加することで流れる電流は、電圧印加直後に流れる、 第１電極７と保持電極９からなる平行平板コンデンサーを充電するための電流のみである。したがって、その後の白表示の保持には電流は流れず、電力を消費することはない。また、第１電極７と保持電極９の間は絶縁されておりキャパシタとして作用するので、表示保持制御部１４のスイッチをオフにしても第１電極７と保持電極９の間の電位差は維持され、したがって白表示も維持されることになる。
【００１９】
この後、黒表示に戻すには表示保持制御部１４および電気泳動動作制御部１３の電源電圧をいずれも０ボルトに設定し、電気泳動動作制御部１３および表示保持制御部１４のスイッチをオンの状態にする。これによりすべての電極電位が等しくなり、微粒子５は拡散していき、図２Ａの黒表示の状態に戻る。さらにこの動作に加えて、表示保持制御部１４のスイッチをオフにし、その後電気泳動動作制御部１３の電源電圧をＶ１と逆の符号の電圧に設定し、短時間電気泳動動作制御部１３のスイッチをオンにして、パルス的な逆電圧を印加することで、開口１１内の微粒子５を強制的に排除し、黒表示へ戻る速度を速めることもできる。
【００２０】
図２Ａに示した黒表示では、すべての電極が同電位であるので、黒表示を維持するためには電力はかからない。また、図２Ｃに示した白表示の維持にも、定常状態に達した後には電流が流れないので電力はかからない。したがって、低消費電力の反射型表示素子を実現することができる。
【００２１】
本実施例では、帯電微粒子５を黒色、反射膜をかねた絶縁膜１０を白色としたが、任意の色が可能である。また、反射膜の位置は、図１Ｂに示した第２電極基板３の裏側以外にも、第２電極基板内部に埋め込まれていてもよい。反射膜１２が第２電極８と保持電極９の間に位置する場合は、保持電極９は透明である必要がなくなる。
【００２２】
図１Ａで示した表示素子部分を作製する方法を以下に述べる。
厚み１２５ミクロンのポリエチレンテレフタレート（ＰＥＴ）フィルムを第１電極基板２とし、この表面に第１電極としてＩＴＯをスパッタでおよそ１２０ナノメートル製膜した。この上に光感光性樹脂をおよそ６ミクロンの厚みに塗布し、格子状パターンを有するマスクを介して露光、現像を行うことによって、格子状の隔壁４を形成した。
【００２３】
第２電極基板３も、１２５ミクロンのＰＥＴフィルム基板を用い、この上にＩＴＯをスパッタでおよそ１２０ナノメートル製膜し、フォトリソグラフィーの技法で画素の大きさにパターニングし、保持電極９とした。この上に絶縁膜である塗布ガラスをおよそ１．２ミクロン成形し、さらにこの上にＩＴＯを１２０ナノメートルの厚みでスパッタ製膜し、画素の大きさにパターニングして第２電極８とした。この上に、酸化チタン微粒子を混合して白色化したアクリル樹脂をおよそ１ミクロン塗布し、フォトリソグラフィーとアルゴンによるドライエッチングを用いて１０ミクロン角の開口を２５ミクロン間隔に作製した。泳動用分散液としてシリコンオイルを用い、これに樹脂でコーティングした直径０．２ミクロンのカーボンブラック粒子を帯電微粒子６とし、これを４ｗｔ％の濃度で分散させた。
【００２４】
分散を安定させるために、帯電付与剤として金属石鹸を３ｗｔ％添加した。これを両基板間に封入し、シール材で封止した。カーボンブラックの帯電微粒子６は正に帯電し、第２電極８の電位が第１電極７より５Ｖ高くなるように電気泳動動作制御部１３から電圧を印加したところ、微粒子６は絶縁膜１０の開口１１に集まり、第１電極基板からは白表示が確認された。先に述べた駆動方法に従って、電気泳動動作制御部１３のスイッチをオフにし、表示保持制御部１４のスイッチをオンにして、保持電極９の電位が第１電極７より１０Ｖ高くなるようにすると、表示はそのまま維持された。その後表示保持制御部１４のスイッチをオフにしても表示は維持され続けた。
【００２５】
ここでは、電極基板の材料としてＰＥＴを用いたが、ポリカーボネイトなどの透明なプラスチックのほか、ガラス、石英のような透明な無機物でもよい。また、絶縁膜１０が反射膜の機能を持つ場合、第２電極基板は透明である必要はないので、これらの材料のほか、表面を絶縁層で被覆した金属基板等でもよい。そして、隔壁４を形成する光感光性樹脂としては、感光性ポリイミドや感光性アクリル樹脂などをもちいることができる。絶縁層１０の厚みは、薄いほど表示保持のために保持電極９に印加する電圧を低く抑えることができる。そのため、絶縁層１０の材質としては、今回使用した塗布ガラスのほか、絶縁耐圧の高いポリイミドやアクリル系の樹脂などが適している。
【００２６】
また、ここでは第２電極や保持電極の材料として第１電極と同じＩＴＯを用いたが、絶縁膜１０が反射膜の機能を持つ場合、これらの電極は透明である必要はないので、金属を使うことも可能である。しかし、第２電極は、直接泳動用分散液に接しているので、電極反応がおきて劣化しやすい銅や鉄、アルミニウム、銀などは好ましくない。さらに、第２電極や保持電極を画素の大きさにパターニングするのにフォトリソグラフィーの方法を用いたが、スパッタや真空蒸着で電極を製膜する時にメタルマスクを用いることでパターニングすることもできる。また、塗布可能な電極材料でパターン電極を直接作製することも可能である。なお、泳動用分散液６としては、透明なものではキシレン、トルエン、シリコンオイル、流動パラフィン、塩化有機物、各種炭化水素、各種芳香族炭化水素等がいずれも利用可能であり、その単体またはそれらを調合したものを用いればよい。移動速度の面からは粘度が低いものが好ましい。
【００２７】
帯電微粒子６としては各種有機顔料、無機顔料を用いることができ、その材質により様々な色を選択できる。黒色では、例えばカーボンブラック、グラファイト、黒色酸化鉄、アイボリーブラック、二酸化クロム等がいずれも利用可能であり、その単体またはそれらを調合して用いれば良い。また、白色では例えば二酸化チタン、酸化マグネシウム、チタン酸バリウム等を使用できる。反射膜をかねた絶縁膜は、ここではアクリル系の樹脂に酸化チタンを混合した白色としたが、他の色の顔料を混合してもよい。帯電微粒子の色との組み合わせでさまざまな色の表示が可能となる。画素ごとに反射膜の色を塗り分け個別に動作させることにより、カラー表示の表示装置とすることも可能である。
（実施例２）
実施例２では、本発明の電気泳動表示装置の画素部分の別な形態について図３を用いて説明する。
画素１５は画素１同様に、第１電極基板２および第２電極基板３と、基板２と基板３の間に配置されこれらの基板の間隙を一定に保持するための隔壁４と、基板２、３と隔壁４に囲まれた空間に充填された、黒色の帯電微粒子５を分散させた透明な泳動用分散液６からなる。図２との違いは第２電極と保持電極の形状、および、第２電極上にある開口を持った絶縁膜がないことである。なお、図３では電極に繋がれた制御部分は省略されている。
第２電極８および保持電極９は同じ形状にパターニングされ、その面積は画素１５の占める面積の四分の１より小さくなっている。パターニングした電極の形状としてここでは格子状にしたが、例えばくし型のような画素全体に均一に広がる形状が、微粒子の移動距離が短くなり応答速度向上に有利に働く。本実施例では、第２電極８と保持電極９の形状は同一形状としたが、異なってもよい。しかしその場合、第２電極８に微粒子５を集積させた状態を保持する際、微粒子が移動して広がり、コントラストを損ねる場合がある。
【００２８】
本実施例では、第２電極８および保持電極９は、透明である必要はない。そのため、不透明な材料で保持電極９を作製し、それをマスクとした裏面露光フォトリソグラフィーの方法で、保持電極９と同じ形状を第２電極８の同じ位置に転写することが容易に可能となる。
【００２９】
また、図４に示すように、図３と同様の構造で、反射膜１２を第１電極基板２の側に配置し、第２電極基板３の側から観測することも可能である。この場合、第２電極基板３は透明である必要がある。さらに、第１電極７が反射膜１２の機能を兼ねることもできる。その場合、第１電極基板が透明である必要はなくなる。
（実施例３）
本実施例では、図１で説明した画素１をマトリクス状に並べた構造の本発明の電気泳動表示装置の一つの形態について説明する。
図５は本発明の表示装置の駆動回路を示す図である。ここでは２×２のマトリクスを用いて説明するが、もちろんさらに大きなマトリクスにすることも可能である。電気泳動動作用薄膜トランジスタ１６（１６ｉ，ｊ、１６ｉ＋１，ｊ、１６ｉ，ｊ＋１、・・・）と表示保持用薄膜トランジスタ１７（１７ｉ，ｊ、１７ｉ＋１，ｊ、１７ｉ，ｊ＋１、・・・）をマトリクス上に組み合わせ、電気泳動動作用ドレイン線１８（１８ｉ，ｊ、１８ｉ＋１，ｊ、１８ｉ，ｊ＋１、・・・）、表示保持用ドレイン線１９（１９ｉ，ｊ、１９ｉ＋１，ｊ、１９ｉ，ｊ＋１、・・・）、電気泳動動作用ゲート線２０（２０ｉ，ｊ、２０ｉ＋１，ｊ、２０ｉ，ｊ＋１、・・・）、表示保持用ゲート線２１（２１ｉ，ｊ、２１ｉ＋１，ｊ、２１ｉ，ｊ＋１、・・・）をドライブ回路２２、２３、２４、２５で駆動し、画素セル２６（２６ｉ，ｊ、２６ｉ＋１，ｊ、２６ｉ，ｊ＋１、・・・）の粒子移動を制御して画像を表示する。電気泳動動作用ドレイン線１８（１８ｉ，ｊ、１８ｉ＋１，ｊ、１８ｉ，ｊ＋１、・・・）は各画素セルの第２電極と接続され、表示保持用ドレイン線１９（１９ｉ，ｊ、１９ｉ＋１，ｊ、１９ｉ，ｊ＋１、・・・）は各画素セルの保持電極と接続されている。一方、各画素セルの第１電極はすべての画素について共通で、グランドに落とされている。
【００３０】
図６は図５に示した電気泳動表示装置の表示書き換えおよび保持動作を説明するタイミングチャート図である。画素セル２６ｉ，ｊを時間が０からｔ１まで黒表示、ｔ１からｔ２まで白表示、ｔ２からｔ３まで白表示の保持、ｔ３以降再び黒表示するときの、電気泳動動作用ドレイン線１８ｉ，ｊ、表示保持用ドレイン線１９ｉ，ｊ、電気泳動動作用ゲート線２０ｉ，ｊ、表示保持用ゲート線２１ｉ，ｊに印加する電圧を示している。
ここでは白表示と黒表示のモノクロ表示について述べたが、この画素の上に赤色、緑色、青色を透過するカラーフィルターを配置して、カラー画像を表示することができる。また、ここでは白単色であった反射膜の色を、赤色、緑色、青色に塗り分けることでもカラー画像表示が可能である。
【図面の簡単な説明】
【００３１】
【図１Ａ】本発明の電気泳動表示装置の画素部分を示す鳥瞰図。
【図１Ｂ】本発明の電気泳動表示装置の画素部分の別な構成を示す鳥瞰図。
【図２Ａ】図１Ａに示した画素部分の黒表示状態の断面を示した概念図。
【図２Ｂ】図２Ａに示した画素部分を白表示状態とするときの断面を示した概念図。
【図２Ｃ】図２Ｂに示した画素部分の白表示状態を維持するときの断面を示した概念図。
【図３Ａ】本発明の電気泳動表示装置の画素部分の別な構成の黒表示状態の断面を示した概念図。
【図３Ｂ】図３Ａに示した画素部分のを白表示状態の断面を示した概念図。
【図４】本発明の電気泳動表示装置の画素部分の別な構成の黒表示状態の断面を示した概念図。
【図５】本発明の電気泳動表示装置の駆動回路を示す図。
【図６】図５に示した表示装置の駆動方式を説明するタイミングチャート図。
【符号の説明】
【００３２】
１…画素、２…第１電極基板、３…第２電極基板、４…隔壁、５…帯電微粒子、６…泳動用分散液、７…第１電極、８…第２電極、９…保持電極、１０…絶縁膜、１１…開口、１２…反射膜、１３…電気泳動動作制御部、１４…表示保持制御部、１５…画素、１６（１６ｉ，ｊ、１６ｉ＋１，ｊ、１６ｉ，ｊ＋１、・・・）…電気泳動動作用薄膜トランジスタ、１７（１７ｉ，ｊ、１７ｉ＋１，ｊ、１７ｉ，ｊ＋１、・・・）…表示保持用薄膜トランジスタ、１８（１８ｉ，ｊ、１８ｉ＋１，ｊ、１８ｉ，ｊ＋１、・・・）…電気泳動動作用ドレイン線、１９（１９ｉ，ｊ、１９ｉ＋１，ｊ、１９ｉ，ｊ＋１、・・・）…表示保持用ドレイン線、２０（２０ｉ，ｊ、２０ｉ＋１，ｊ、２０ｉ，ｊ＋１、・・・）…電気泳動動作用ゲート線、２１（２１ｉ，ｊ、２１ｉ＋１，ｊ、２１ｉ，ｊ＋１、・・・）…表示保持用ゲート線、２２〜２５…ドライブ回路、２６（２６ｉ，ｊ、２６ｉ＋１，ｊ、２６ｉ，ｊ＋１、・・・）…画素セル。
【図１Ａ】
2009020279.tif 000003
【図１Ｂ】
2009020279.tif 000004
【図２Ａ】
2009020279.tif 000005
【図２Ｂ】
2009020279.tif 000006
【図２Ｃ】
2009020279.tif 000007
【図３Ａ】
2009020279.tif 000008
【図３Ｂ】
2009020279.tif 000009
【図４】
2009020279.tif 000010
【図５】
2009020279.tif 000011
【図６】
2009020279.tif 000012